(57)【要約】【課題】画像の編集作業を効率良く行うことができる画像プリント装置及び注文受付端末を提供する。【解決手段】画像プリント装置は、画像データを入力する入力部１１と、前記画像データを縮小したサムネイル画像を表示する第１タッチパネル１０Ａと、前記画像データに対する編集を指示するための複数の編集アイテムを表示する第２タッチパネル１０Ｂと、前記編集アイテムの選択を受け付け、前記画像データの編集を行う制御部１４０と、編集された画像データを印刷するプリンタ１３と、を備える。制御部１４０は、第２タッチパネル１０Ｂに全ての編集アイテムを表示可能とするか、又はおすすめ編集アイテムのみを表示可能とするかの切り替え指示を受け付ける。【選択図】図１
2016004127.tif 000002
【特許請求の範囲】
【請求項１】
画像データを入力する入力部と、
前記画像データを縮小したサムネイル画像を表示する第１表示部と、
前記画像データに対する編集を指示するための複数の編集アイテムを表示する第２表示部と、
前記編集アイテムの選択を受け付け、前記画像データの編集を行う編集部と、
編集された画像データを印刷するプリンタと、
を備え、
前記編集部は、前記第２表示部に全ての編集アイテムを表示可能とするか、又はおすすめ編集アイテムのみを表示可能とするかの切り替え指示を受け付けることを特徴とする画像プリント装置。
【請求項２】
画像データを入力する入力部と、
前記画像データを縮小したサムネイル画像を表示する第１表示部と、
前記画像データに対する編集を指示するための複数の編集アイテムを表示する第２表示部と、
前記編集アイテムの選択を受け付け、前記画像データの編集を行う編集部と、
編集された画像データを印刷するプリンタと、
を備え、
前記第２表示部は、おすすめ編集アイテムの表示サイズを通常編集アイテムの表示サイズをよりも大きくし、該おすすめ編集アイテムの表示順を該通常編集アイテムの表示順より先にすることを特徴とする画像プリント装置。
【請求項３】
前記編集部は、各編集アイテムの選択回数を集計し、集計結果に基づいて前記おすすめ編集アイテムを選定することを特徴とすることを特徴とする請求項１又は２に記載の画像プリント装置。
【請求項４】
前記おすすめ編集アイテムは、前記選択回数が多い程、前記第２表示部における表示順が先になることを特徴とする請求項３に記載の画像プリント装置。
【請求項５】
前記編集アイテムには使用予想期間が設定されており、
前記編集部は、前記入力部を介して前記画像データが入力された日を使用予想期間内に含む編集アイテムを前記おすすめ編集アイテムとして選定することを特徴とする請求項１乃至４のいずれかに記載の画像プリント装置。
【請求項６】
前記編集アイテムには使用予想期間が設定されており、
前記編集部は、編集対象の画像データの撮影日を使用予想期間内に含む編集アイテムを前記おすすめ編集アイテムとして選定することを特徴とする請求項１乃至５のいずれかに記載の画像プリント装置。
【請求項７】
画像データを入力する入力部と、
前記画像データを縮小したサムネイル画像を表示する第１表示部と、
前記画像データに対する編集を指示するための複数の編集アイテムを表示する第２表示部と、
前記編集アイテムの選択を受け付け、前記画像データの編集を行う編集部と、
編集された画像データ及び印刷注文を外部へ送信する通信部と、
を備え、
前記編集部は、前記第２表示部に全ての編集アイテムを表示可能とするか、又はおすすめ編集アイテムのみを表示可能とするかの切り替え指示を受け付けることを特徴とする注文受付端末。
【発明の詳細な説明】
【技術分野】
【０００１】
本発明は、利用者が所有する記憶媒体や携帯端末等に記憶されている画像データをプリント出力する画像プリント装置、及び画像データのプリント注文を受け付ける注文受付端末に関する。
【背景技術】
【０００２】
デジタルカメラやスマートフォン等で撮影した画像のデジタルデータを読み込んでプリント出力する画像プリント装置が様々な場所に設置されている。例えば、利用者は、デジタルカメラで撮影した画像データが記憶された記憶媒体を持参し、記憶媒体内の画像データを画像プリント装置に読み込ませる。画像プリント装置は、記憶媒体から読み込んだ画像データをプリントしたり、画像データの編集を行った上でプリントしたりする。
【０００３】
画像データの編集や合成では、スタンプを押したり、画像を縁取るフレームを付けたり、手書き文字の書き込みを行ったりする（例えば、特許文献１、２参照）。例えば、画像プリント装置の表示画面の中央部に編集対象画像が表示され、編集対象画像の側部や下部にスタンプやフレーム等の編集アイテムが表示される。利用者は、編集アイテムを確認し、好みのものを選択して画像の編集を行う。
【０００４】
このように、編集対象画像と同一画面に編集アイテム表示領域を設ける場合、編集アイテム表示領域のサイズが制限され、１つ１つの編集アイテムをあまり大きく表示できず、スタンプやフレームのデザインを確認することが困難であった。また、画像プリント装置に準備されている多数の編集アイテムから好適なもの効率良く選択することは困難であった。
【先行技術文献】
【特許文献】
【０００５】
【特許文献１】特許第３７７３８７５号公報
【特許文献２】特開２０１２−１７３９１２号公報
【発明の概要】
【発明が解決しようとする課題】
【０００６】
本発明は、上記従来の実状に鑑みてなされたものであり、画像の編集作業を効率良く行うことができる画像プリント装置及び注文受付端末を提供することを課題とする。
【課題を解決するための手段】
【０００７】
本発明の一態様による画像プリント装置は、画像データを入力する入力部と、前記画像データを縮小したサムネイル画像を表示する第１表示部と、前記画像データに対する編集を指示するための複数の編集アイテムを表示する第２表示部と、前記編集アイテムの選択を受け付け、前記画像データの編集を行う編集部と、編集された画像データを印刷するプリンタと、を備え、前記編集部は、前記第２表示部に全ての編集アイテムを表示可能とするか、又はおすすめ編集アイテムのみを表示可能とするかの切り替え指示を受け付ける。
【０００８】
本発明の一態様による画像プリント装置は、画像データを入力する入力部と、前記画像データを縮小したサムネイル画像を表示する第１表示部と、前記画像データに対する編集を指示するための複数の編集アイテムを表示する第２表示部と、前記編集アイテムの選択を受け付け、前記画像データの編集を行う編集部と、編集された画像データを印刷するプリンタと、を備え、前記第２表示部は、おすすめ編集アイテムの表示サイズを通常編集アイテムの表示サイズをよりも大きくし、該おすすめ編集アイテムの表示順を該通常編集アイテムの表示順より先にする。
【０００９】
本発明の一態様による画像プリント装置において、前記編集部は、各編集アイテムの選択回数を集計し、集計結果に基づいて前記おすすめ編集アイテムを選定することが好ましい。
【００１０】
本発明の一態様による画像プリント装置において、前記おすすめ編集アイテムは、前記選択回数が多い程、前記第２表示部における表示順が先になることが好ましい。
【００１１】
本発明の一態様による画像プリント装置において、前記編集アイテムには使用予想期間が設定されており、前記編集部は、前記入力部を介して前記画像データが入力された日を使用予想期間内に含む編集アイテムを前記おすすめ編集アイテムとして選定することが好ましい。
【００１２】
本発明の一態様による画像プリント装置において、前記編集アイテムには使用予想期間が設定されており、前記編集部は、編集対象の画像データの撮影日を使用予想期間内に含む編集アイテムを前記おすすめ編集アイテムとして選定することが好ましい。
【００１３】
本発明の一態様による注文受付端末は、画像データを入力する入力部と、前記画像データを縮小したサムネイル画像を表示する第１表示部と、前記画像データに対する編集を指示するための複数の編集アイテムを表示する第２表示部と、前記編集アイテムの選択を受け付け、前記画像データの編集を行う編集部と、編集された画像データ及び印刷注文を外部へ送信する通信部と、を備え、前記編集部は、前記第２表示部に全ての編集アイテムを表示可能とするか、又はおすすめ編集アイテムのみを表示可能とするかの切り替え指示を受け付ける。
【発明の効果】
【００１４】
本発明によれば、画像データを表示する第１表示部とは異なる第２表示部に、全ての編集アイテムを表示可能とするか、又はおすすめ編集アイテムのみを表示可能とするかを切り替えることができ、多数の編集アイテムの中から好適な編集アイテムを容易に選択することができるようになり、画像の編集作業を効率良く行うことができる。
【図面の簡単な説明】
【００１５】
【図１】本発明の実施形態に係る画像プリント装置のブロック構成図である。
【図２】同実施形態に係る画像プリント装置の概略斜視図である。
【図３】第１タッチパネルのサムネイル画面の一例を示す図である。
【図４】画像編集時の第１タッチパネルの表示画面の一例を示す図である。
【図５】画像編集時の第２タッチパネルの表示画面の一例を示す図である。
【図６】画像編集後の第１タッチパネルのサムネイル画面の一例を示す図である。
【図７】同実施形態に係る画像プリント処理を説明するフローチャートである。
【図８】画像編集時の第２タッチパネルの表示画面の一例を示す図である。
【図９】画像編集時の第２タッチパネルの表示画面の一例を示す図である。
【図１０】変形例による画像プリント装置の概略斜視図である。
【発明を実施するための形態】
【００１６】
以下、本発明の実施の形態を図面に基づいて説明する。
【００１７】
図１は本実施形態による画像プリント装置のブロック構成図であり、図２は画像プリント装置の概略斜視図である。図１に示すように、画像プリント装置は、第１タッチパネル１０Ａ、第２タッチパネル１０Ｂ、データ入力部１１、課金部１２、プリンタ１３、ＣＰＵ（中央処理部）１４、ディスク装置（記憶部）１５、及びメインメモリ１６を有する。画像プリント装置の各部はバスを介して接続されている。
【００１８】
図２に示すように、第１タッチパネル１０Ａは筐体１の天板１Ａ部分に設けられ、第２タッチパネル１０Ｂは筐体１の上部に設けられている。第１タッチパネル１０Ａへの入力操作を行い易いように、天板１Ａ及び第１タッチパネル１０Ａの画面は、手前側が低く奥側が高くなるようにやや傾斜している。第２タッチパネル１０Ｂのディスプレイ画面は、略垂直に立った状態となっている。
【００１９】
第１タッチパネル１０Ａ及び第２タッチパネル１０Ｂは、画像を含む情報を表示したり、利用者から各種指示の入力を受け付けたりする。第１タッチパネル１０Ａは、画像プリント装置への画像データの入力方法（例えば、記憶媒体の使用、携帯端末からの赤外線通信、又はスマートフォンからの無線通信）選択画面、注意事項の表示画面、プリント出力する画像データの選択やプリント枚数指定などを受け付ける注文画面（図３）、注文内容や請求金額の確認画面等の基本操作画面を表示する。第２タッチパネル１０Ｂは、後述するように、画像データに対する編集を指示するための編集アイテムを表示する（図５）。
【００２０】
データ入力部１１は、デジタルカメラ等で撮影した画像データが記憶された記憶媒体から画像データを読み取ることで、画像データの入力を受け付ける。データ入力部１１は、様々な記憶媒体に対応したデータ読取装置を有している。また、データ入力部１１は、赤外線通信又は無線通信により携帯端末から画像データの入力を受け付けることができる。図２に示すように、データ入力部１１は筐体１の上部、具体的には筐体１の天板１Ａと第２タッチパネル１０Ｂとの間に設けられている。
【００２１】
図２に示すように、課金部１２は、筐体１の前面側に設けられた硬貨投入口１２Ａ、紙幣投入口１２Ｂ、釣銭返却口１２Ｃを有し、硬貨投入口１２Ａ及び紙幣投入口１２Ｂから投入された貨幣を識別計数し、釣銭を釣銭返却口１２Ｃから放出する。また、課金部１２は、電子マネーによる決済機能を有していてもよい。また、課金部１２は、プリント枚数、単価、請求金額、投入金額、釣銭額等をレシートに印字して出力するレシートプリンタを有していてもよい。
【００２２】
プリンタ１３は、昇華型又はインクジェット型などの高解像度カラープリンタであり、注文内容に基づいて、画像データをプリントして出力する。プリンタ１３は筐体１内に収容されている。プリンタ１３は複数台設置されていてもよい。図２に示すように、筐体１の前面側には、透明な開閉扉２が開閉自在に設けられている。開閉扉２の裏面側には、プリンタ１３がプリント出力したプリント物が集積される集積部（図示せず）が設けられており、開閉扉２を開けると集積部に集積されたプリント物を取り出せるようになっている。
【００２３】
ディスク装置１５は、画像処理プログラム、制御プログラム、及び画像データに対して合成可能な編集アイテムを格納する。ディスク装置１５は例えばハードディスクドライブである。
【００２４】
ＣＰＵ１４は、ディスク装置１５内の画像処理プログラムをメインメモリ１６にロードして、画像処理プログラムを実行する。画像処理プログラムの実行に伴い、メインメモリ１６には、入力された画像データや注文内容などを格納する領域が確保される。
【００２５】
また、ＣＰＵ１４は、ディスク装置１５内の制御プログラムをメインメモリ１６にロードし、制御プログラムを実行することで、第１タッチパネル１０Ａ、第２タッチパネル１０Ｂ、課金部１２及びプリンタ１３を制御する制御部１４０として機能する。
【００２６】
制御部１４０は、データ入力部１１を介して記憶媒体や携帯端末から画像データが入力されると、図３に示すように、画像データを縮小したサムネイル画像を第１タッチパネル１０Ａに表示する。データ入力部１１を介して入力された画像データの数が多い場合は、ページ切替ボタン３１を押下（接触）してページを切り替えることで、全てのサムネイル画像を確認することができる。各サムネイル画像の両側部には拡大ボタン３２及び編集ボタン３３が設けられ、下部には、その画像のプリント枚数を指定するプリント枚数増減ボタン３４が設けられている。拡大ボタン３２を押下することで、このサムネイル画像を拡大表示することができる。プリント枚数増減ボタン３４を押下することで、各画像のプリント枚数を指定し、印刷注文を入力することができる。
【００２７】
編集ボタン３３を押下すると、第１タッチパネル１０Ａの表示が、この画像を編集する編集画面に切り替わる。また、第２タッチパネル１０Ｂに、画像データに対して編集を指示するための複数の編集アイテムが表示される。利用者により選択された編集アイテムが画像データに合成され、画像編集加工が行えるようになっている。
【００２８】
図４〜図６を参照して、画像編集加工について具体的に説明する。図４は第１タッチパネル１０Ａの編集画面、図５は第２タッチパネル１０Ｂの編集画面、図６は編集加工後の第１タッチパネル１０Ａのサムネイル画面を示す。
【００２９】
図４に示すように、第１タッチパネル１０Ａの中央に編集対象画像４０が配置される。編集対象画像４０の左側には、画像編集加工に許容されている残り時間Ｔが表示され、右側には、画像を部分的に消す消しゴムツール４２や各編集加工処理を元に戻すボタン４４が表示される。また、第１タッチパネル１０Ａの右下部には編集加工処理の完了指示を入力する完了ボタン４６が設けられ、左下部には画像４０への全ての編集加工を無効にするキャンセルボタン４８が設けられる。
【００３０】
図５に示すように、第２タッチパネル１０Ｂは、編集加工処理に用いる描写ツールを選択する描写ツールボタン５０が表示される。描写ツールボタン５０には、例えば、「ペン」、「スタンプ」、「コロコロスタンプ」、「フレーム」を選択するボタンがあり、いずれか１つを選択（タブ切り替え）すると、選択された描写ツールに対応する複数の編集アイテム５２が編集アイテム表示領域５４に表示される。画像プリント装置には多種類の編集アイテム５２が準備されており、ページ切替ボタン５５で編集アイテム表示領域５４のページを切り替えることで、編集アイテム５２を確認することができる。図５は、描写ツールに「フレーム」を選択した場合の画面を示している。
【００３１】
利用者が「ペン」を選択すると、第２タッチパネル１０Ｂの編集アイテム表示領域５４にペン先の色やテクスチャ等の一覧が編集アイテムとして表示され、それぞれを選択した後に、第１タッチパネル１０Ａの画像４０の任意の位置を指定して描くことで、画像４０の上に自由に線描することができる。
【００３２】
利用者が「スタンプ」を選択すると、第２タッチパネル１０Ｂの編集アイテム表示領域５４に様々な模様や図形の画像等が編集アイテムとして表示され、そのうちの１つの画像を選択した後に、第１タッチパネル１０Ａの画像４０の任意の位置を指定すると、指定した位置に選択した画像が付加（スタンプ）される。第２タッチパネル１０Ｂの編集画面において、スタンプサイズを選択することができる。また、利用者が、画像４０上にスタンプを配置したあとに、スタンプ画像を回転したり、左右に反転したりすることができる。
【００３３】
「コロコロスタンプ」は、ローラー型スタンプの効果を生じるもので、「スタンプ」と同様に、利用者が１つの画像（編集アイテム）を選択した後に、画像４０の任意の位置を指定することによりその位置にスタンプ画像が置かれ、そこから任意の方向にスタンプを引きずると、ローラー型スタンプが回転するのと同様の効果でスタンプ画像が繰り返し付けられる。
【００３４】
利用者が「フレーム」を選択すると、第２タッチパネル１０Ｂには様々なテクスチャのフレーム画像が編集アイテム５２として表示され、そのうちの１つのフレーム画像を選択すると、画像４０を囲むようにフレーム画像が付加される。
【００３５】
図５に示すように、編集アイテム表示領域５４には、おすすめ編集アイテムのみを表示するおすすめ表示ボタン５６と、全ての編集アイテムを表示する全表示ボタン５８とが設けられている。
【００３６】
おすすめ編集アイテムは、制御部１４０が、ディスク装置１５に格納されている編集アイテムの中から、使用頻度、プリント注文日、又は画像撮影日に基づいて設定する。使用頻度、プリント注文日、又は画像撮影日に基づくおすすめ編集アイテムについて説明する。
【００３７】
＜使用頻度に基づくおすすめ編集アイテム＞
制御部１４０は、編集アイテム毎の使用頻度を集計し、使用頻度の高い編集アイテムをおすすめ編集アイテムに設定する。例えば、制御部１４０は、編集アイテム毎に一定期間（直近１週間、直近１ヶ月等）における使用（選択）回数を集計し、集計結果をメインメモリ１６やディスク装置１５に格納する。
【００３８】
おすすめ表示ボタン５６が押下されると、制御部１４０は、一定期間内の使用回数が所定値以上の編集アイテム、又は一定期間内の使用回数が多い方から順に所定番目までの編集アイテムをおすすめ編集アイテムに設定し、編集アイテム表示領域５４に表示する。利用者が集計期間を選択できるようにしてもよい。
【００３９】
＜プリント注文日又は画像撮影日に基づくおすすめ編集アイテム＞
ディスク装置１５に格納されている編集アイテムの少なくとも一部に、予め使用予想期間を設定しておく。例えば、ハート形状を含む編集アイテム（スタンプ、フレーム等）は、バレンタインデーやホワイトデーの前後で使用されることが多いため、これらの編集アイテムには、バレンタインデーやホワイトデーの前後１週間（２月７日〜２月２１日、３月７日〜３月２１日）を使用予想期間として設定する。
【００４０】
また、太陽、団扇、スイカ、向日葵などのイラストを含む編集アイテムは夏季に使用されることが多いため、これらの編集アイテムには７月１日〜８月３１日を使用予想期間として設定する。
【００４１】
また、カボチャのイラストを含む編集アイテムは、ハロウィンの前後で使用されることが多いため、これらの編集アイテムにはハロウィンの前後１週間（１０月２４日〜１１月７日）を使用予想期間として設定する。
【００４２】
また、雪だるまや雪の結晶などのイラストを含む編集アイテムは冬季に使用されることが多いため、これらの編集アイテムには１２月１日〜１月３１日を使用予想期間として設定する。
【００４３】
制御部１４０は、利用者が画像プリント装置を用いてプリント注文を行った日（すなわちデータ入力部１１を介して画像データが入力された日）が使用予想期間に含まれる編集アイテムを検索し、おすすめ編集アイテムに設定する。
【００４４】
制御部１４０は、プリント注文日でなく、画像データの撮影日が使用予想期間に含まれる編集アイテムを検索し、おすすめ編集アイテムに設定してもよい。これにより、利用者が夏季に撮影した画像のプリント注文を冬季に行う場合に、雪だるまや雪の結晶などのイラストを含む編集アイテムをおすすめ表示することを防止し、画像撮影時季に合った編集アイテムをおすすめ編集アイテムとして提示することができる。あるいはまた、制御部１４０は、プリント注文日及び画像撮影日のいずれか一方が使用予想期間に含まれる編集アイテムを検索し、おすすめ編集アイテムに設定してもよい。
【００４５】
制御部１４０は、使用頻度に基づくおすすめ編集アイテムと、プリント注文日又は画像撮影日に基づくおすすめ編集アイテムとのいずれか一方のみをおすすめ編集アイテムに設定してもよいし、これらを組み合わせておすすめ編集アイテムの表示順を決定してもよい。
【００４６】
例えば、使用頻度が高く、かつ画像撮影日が使用予想期間に含まれるおすすめ編集アイテムが最初に表示され、次いで、使用頻度に基づくおすすめ編集アイテムが表示され、最後に画像撮影日が使用予想期間に含まれるおすすめ編集アイテムが表示されるようにする。
【００４７】
図５に示す全表示ボタン５８が押下されると、制御部１４０は、全ての編集アイテムをカテゴリ別に分類して表示する。例えば、描写ツールとして「スタンプ」が選択され、全表示ボタン５８が押下されると、スタンプは「ハート」「星」などのカテゴリ別に表示され、利用者がカテゴリを選択すると、そのカテゴリに含まれるスタンプが全て表示される。
【００４８】
利用者は、おすすめ表示ボタン５６又は全表示ボタン５８を押下し、編集アイテム表示領域５４に表示された編集アイテムから所望の編集アイテムを選択し、画像４０の編集加工を行う。このようにして、利用者が画像４０に対して、編集アイテムを利用して編集加工を行い、完了ボタン４６を押下した後の第１タッチパネル１０Ａの表示画面を図６に示す。
【００４９】
図６は、編集加工後のサムネイル画面を示し、編集された画像Ｐには、編集加工された状態が表示される。利用者が持参した入力画像から編集加工が加えられた場合、サムネイル画面には、入力画像はそのままに、編集加工した画像が別の画像として一覧に加えられ、編集済みマーク３５が付加される。
【００５０】
このように、本実施形態による画像プリント装置では、画像の編集加工時に、全ての編集アイテムを表示するか、又はおすすめ編集アイテムのみを表示するかを切り替えることができる。おすすめ編集アイテムのみを表示する場合は、全ての編集アイテムを表示する場合と比較して編集アイテムの表示数が少なく、限定された編集アイテムの中から選択することになるため、編集アイテムを容易に選択することができる。また、おすすめ編集アイテムは、一定期間内の使用頻度や、プリント注文日・画像撮影日等に基づいて選定されるため、編集対象画像４０の加工に好適なものである。
【００５１】
また、編集アイテム表示領域５４は、編集対象画像４０が表示される第１タッチパネル１０Ａとは異なる第２タッチパネル１０Ｂに作成される。そのため、編集対象画像４０と編集アイテム表示領域５４とを同一画面に配置する場合と比較して、１つ１つの編集アイテムを大きく表示でき、スタンプやフレームのデザインが確認し易く、編集加工を効率良く行うことができる。
【００５２】
上述した第１タッチパネル１０Ａ及び第２タッチパネル１０Ｂの表示制御は制御部１４０により行われる。また、制御部１４０は、画像データの編集加工を行う編集部としての機能を有する。
【００５３】
次に、図７に示すフローチャートを用いて、本実施形態に係る画像プリントの処理の流れを説明する。
【００５４】
（ステップＳ１０１）データ入力部１１が画像データの入力を受け付ける。
【００５５】
（ステップＳ１０２）第１タッチパネル１０Ａのディスプレイに、画像データを縮小したサムネイル画像が表示される。
【００５６】
（ステップＳ１０３）利用者がプリント注文する画像を選択する。
【００５７】
（ステップＳ１０４）選択した画像の編集を行う場合はステップＳ１０５へ進み、行わない場合はステップＳ１１１へ進む。
【００５８】
（ステップＳ１０５）利用者が編集ボタン３３を押下する。制御部１４０は、第１タッチパネル１０Ａの表示画面を編集画面（図４参照）に切り替え、第２タッチパネル１０Ｂに描写ツールボタン５０及び編集アイテム表示領域５４（図５参照）を作成して表示する。
【００５９】
（ステップＳ１０６）編集アイテム表示領域５４におすすめ編集アイテムのみを表示する場合はステップＳ１０７へ進み、全ての編集アイテムを表示する場合はステップＳ１０８へ進む。
【００６０】
（ステップＳ１０７）利用者が第２タッチパネル１０Ｂのおすすめ表示ボタン５６を押下する。制御部１４０は、ディスク装置１５に格納されている編集アイテムの中から、使用頻度、プリント注文日、又は編集対象画像４０の撮影日に基づいておすすめ編集アイテムを検索し、編集アイテム表示領域５４に表示する。
【００６１】
（ステップＳ１０８）利用者が第２タッチパネル１０Ｂの全表示ボタン５８を押下する。制御部１４０は、全ての編集アイテムを例えばカテゴリ別に編集アイテム表示領域５４に表示する。
【００６２】
（ステップＳ１０９）編集アイテム表示領域５４に表示されている編集アイテム５２を選択し、編集対象画像４０に付加する。
【００６３】
（ステップＳ１１０）編集加工処理が完了した場合は第１タッチパネル１０Ａの完了ボタン４６を押下し、ステップＳ１１１へ進む。編集アイテムの使用頻度を集計している場合、制御部１４０は、ステップＳ１０９で選択された編集アイテムの使用回数をインクリメントする。編集加工処理を続ける場合はステップＳ１０６に戻る。
【００６４】
（ステップＳ１１１）プリント枚数増減ボタン３４を押下してプリント枚数を入力する。
【００６５】
（ステップＳ１１２）注文が完了した場合はステップＳ１１３に進む。注文を続ける場合はステップＳ１０３に戻る。
【００６６】
（ステップＳ１１３）利用者からの注文内容に基づく請求金額が第１タッチパネル１０Ａに表示される。利用者が貨幣を投入すると、課金部１２は投入された貨幣を計数し、釣銭の出金やレシートの印字等を行う。
【００６７】
（ステップＳ１１４）制御部１４０が、プリンタ１３に、注文内容に基づく画像データのプリントを実行させる。
【００６８】
以上のように、本実施形態による画像プリント装置は、画像の編集加工時に、おすすめ編集アイテムのみを表示することができる。これにより、第２タッチパネル１０Ｂに表示される編集アイテムの数が減るため、編集アイテムを容易に選択することができる。また、画像プリント装置は、一定期間内の使用頻度の高い編集アイテムや、プリント注文日・画像撮影日を使用予想期間内に含む編集アイテムをおすすめ編集アイテムとして選定し、提示する。これらの編集アイテムは、編集対象画像４０の加工に好適である可能性が高いものである。また、画像プリント装置は、編集対象画像４０を表示する第１タッチパネル１０Ａとは異なる第２タッチパネル１０Ｂに編集アイテム表示領域５４を表示するため、各編集アイテムを大きく表示でき、スタンプやフレームのデザインが確認し易く、編集加工を効率良く行うことができる。
【００６９】
上記実施形態では、筐体１内にプリンタ１３を備え、その場でプリント物を出力する画像プリント装置について説明したが、プリンタ１３を省略し、プリント注文の受け付けを行う注文受付端末としてもよい。この場合、注文受付端末には、プリント注文された画像データ及び注文内容を、有線又は無線ネットワークを介してプリンタサーバへ送信する通信部が設けられる。利用者は郵送等によってプリント物を受け取る。
【００７０】
上記実施形態では、おすすめ表示ボタン５６が押下されると、おすすめ編集アイテムのみを表示し、それ以外の編集アイテムを表示しないことで、おすすめ編集アイテムを優先的に表示していたが、例えば、編集アイテム表示領域５４における編集アイテムの表示サイズを変えることで、おすすめ編集アイテムを優先的に表示してもよい。
【００７１】
例えば、おすすめ表示ボタン５６が押下されると、図８に示すように、おすすめ編集アイテム８０の表示順を、おすすめ編集アイテムでない通常編集アイテム８２の表示順よりも先にするとともに、おすすめ編集アイテム８０の表示サイズを通常編集アイテム８２の表示サイズよりも大きくすることで、おすすめ編集アイテムの優先表示を行うようにしてもよい。このとき、全表示ボタン５８が押下されると、編集アイテムの表示サイズは全て同じになる。このように、編集アイテムの表示サイズを変えることで、どの編集アイテムがおすすめ編集アイテムであるか容易に判別することができ、編集対象画像の加工に好適な編集アイテムを容易に選択することができる。
【００７２】
図９に示すように、おすすめ編集アイテムのおすすめ度に応じて表示サイズを変えてもよい。おすすめ度とは、一定期間内の使用頻度や、プリント注文日・画像撮影日が使用予想期間に含まれるか否かによって求まる。例えば、使用頻度が所定値以上であり、かつ画像撮影日が使用予想期間に含まれる編集アイテム９０はおすすめ度が高く、最も表示サイズを大きくする。画像撮影日が使用予想期間に含まれないが、使用頻度が所定値以上である編集アイテム９２はおすすめ度が中程度であり、編集アイテム９０より表示サイズを小さくする。使用頻度が所定値以下であるが、画像撮影日が使用予想期間に含まれる編集アイテム９４は、おすすめ度が低く、表示サイズを編集アイテム９２より小さくする。
【００７３】
上記実施形態において、全表示ボタン５８が押下され全ての編集アイテムを表示する場合、おすすめ度が高い程、表示順を先に表示してもよい。あるいはまた、おすすめ表示ボタン５６及び全表示ボタン５８を省略し、編集アイテム表示領域５４に、おすすめ度が高い程、表示サイズを大きく、表示順を先にして、全ての編集アイテムを表示するようにしてもよい。
【００７４】
おすすめ編集アイテムは、制御部１４０が、使用頻度や、プリント注文日・画像撮影日が使用予想期間に含まれるか否かによって検索するだけでなく、最新の編集アイテム等をおすすめ編集アイテムとするように、画像プリント装置の設置者側で任意に設定できるようにしてもよい。
【００７５】
上記実施形態では、第１タッチパネル１０Ａ及び第２タッチパネル１０Ｂの上下に配置された２つのタッチパネルを備える構成について説明したが、１つの大型タッチパネルの表示領域を上下に二分し、下側を第１タッチパネル１０Ａ、上側を第２タッチパネル１０Ｂのように機能させてもよい。例えば、図１０に示すように、筐体１の上部から利用者の手元側まで延びる天板１Ｂの平坦な傾斜面に大型のタッチパネル１０Ｃを設け、タッチパネル１０Ｃの上側と下側とを個別に表示制御する。この場合、データ入力部１１は、例えば筐体１の前面側に設けられる。また、横長の大型タッチパネルの表示領域を左右に二分し、一方を第１タッチパネル１０Ａ、他方を第２タッチパネル１０Ｂのように機能させてもよい。
【００７６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００７７】
１  筐体
１Ａ  天板
２  開閉扉
１０Ａ  第１タッチパネル
１０Ｂ  第２タッチパネル
１１  データ入力部
１２  課金部
１３  プリンタ
１４  ＣＰＵ
１５  ディスク装置
１６  メインメモリ
４０  編集対象画像
５０  描写ツールボタン
５２  編集アイテム
５４  編集アイテム表示領域
５６  おすすめ表示ボタン
５８  全表示ボタン
【図１】
2016004127.tif 000003
【図２】
2016004127.tif 000004
【図３】
2016004127.tif 000005
【図４】
2016004127.tif 000006
【図５】
2016004127.tif 000007
【図６】
2016004127.tif 000008
【図７】
2016004127.tif 000009
【図８】
2016004127.tif 000010
【図９】
2016004127.tif 000011
【図１０】
2016004127.tif 000012